(57)【要約】【課題】モデルヘッド底部のテーパ状の取付孔と、モデルヘッド支持用の支持軸体との緊合を確実なものとし、モデルヘッドが支持軸体から抜け出し、脱落しないようにする。【解決手段】モデルヘッドＰの取付孔Ｑと嵌合し、縦割り形成して互いに拡開する一対の分割体１ａ，１ｂから成る支持軸体１と、支持軸体１の下端に設けた球状連結部２を保持する支持受座体３と、支持受座体３を保持して固定するベース体４とを備える。支持軸体１は両分割体１ａ，１ｂの双方に亘って周設したリング溝５ａ内に装着する締付リング５と、両分割体１ａ，１ｂの対向面双方に形成した凹所３３ａ，３３ｂ間で対向面に沿う方向で揺動可能に支承内装した拡開ロッド６とを備え、拡開ロッド６には、凹所３３ａ，３３ｂ間での揺動によって締付リング５の締め付け力に抗して両分割体１ａ，１ｂのいずれか一方に対し他方を押し退ける縦長の押し退け突部７を設ける。【選択図】図２
2011036546.tif 000002
【特許請求の範囲】
【請求項１】
モデルヘッドの底面に設けられたテーパ状の取付孔によって嵌合させてから、縦割りされた一対の分割体を互いに拡開させてモデルヘッドの取付孔に緊合させることでモデルヘッドを支持する支持軸体と、支持軸体の下端に設けられた球状連結部を保持する支持受座体と、支持受座体を保持して所定の部位に固定されるベース体とを備えたモデルヘッドの支持具において、支持軸体は、両分割体の双方に亘って周設された溝内に装着される締付リングと、両分割体の対向面双方に形成されている凹所間に対向面に沿う方向で揺動可能に支承内装された拡開ロッドとを備え、該拡開ロッドには、凹所間での揺動によって締付リングの締め付け力に抗して両分割体のいずれか一方に対し他方を押し退けることで当該両分割体を互いに拡開させる縦長の押し退け突部を設けたことを特徴とするモデルヘッドの支持具。
【請求項２】
支持軸体は、固定側分割体と、該固定側分割体の基端部上に載せられることで固定側分割体に対して接合あるいは離反する可動側分割体とから成り、両分割体相互の対向面の上下部それぞれには拡開ロッドの上下に突設した軸突部の軸孔を形成すると共に、両分割体それぞれの上部の間では相互にスライド挿通する案内ピンと案内孔とを形成してある請求項１記載のモデルヘッドの支持具。
【請求項３】
固定側分割体の基端部上面と可動側分割体下面との間では相互にスライド係合する案内溝部と案内突条とを形成してある請求項１または２記載のモデルヘッドの支持具。
【請求項４】
拡開ロッドは、両分割体のいずれか一方側に形成された開口部から突き出された操作取っ手の操作により凹所相互間で揺動可能とした請求項１乃至３のいずれか記載のモデルヘッドの支持具。
【請求項５】
支持受座体は、収納した支持軸体の球状連結部を上方から係止する支持縁を開口部に有し、締付ハンドルの回動に伴い斜上下方向に移動する締付ネジによって支持受座体との間で変位可能にして支持軸体の球状連結部を下方から固定する締付部材を備えた請求項１乃至４のいずれか記載のモデルヘッドの支持具。
【請求項６】
ベース体は、略コ字状の締付アームの下端に回転固定ハンドルの回動によって上下動する締付ロッドがねじ込まれ、締付ロッドの上端には、長方形状の突当部を枢着して成る請求項１乃至５のいずれか記載のモデルヘッドの支持具。
【請求項７】
支持軸体の先端側の周面には取付溝が凹設され、且つ各取付溝相互間には横方向の突部が上下に亘って形成されて成る請求項１乃至６のいずれか記載のモデルヘッドの支持具。
【発明の詳細な説明】
【技術分野】
【０００１】
本発明は、美容師や理容師の養成においてヘアカット等の整髪技能を練習し、修得するためのモデルヘッド（人頭台）を支持するモデルヘッドの支持具に関する。
【背景技術】
【０００２】
従来、モデルヘッドを支持する支持具は、モデルヘッドの底面に形成されたテーパ状の取付孔が嵌合される支持軸と、該支持軸を保持して机の天板等に固定されるベース体とから成っている。ベース体は、例えば万力式等による固定部と、支持軸の下端に設けられた球状連結部を保持する受け部とから成り、支持軸を任意の方向に傾動可能に保持し、さらに整髪練習作業を行い易いようにするためにモデルヘッドを所要の方向並びに傾斜角度に調整できるようにしている。また、支持軸は、縦割りされた一対の分割体で構成し、モデルヘッドをその取付孔によって支持軸に嵌合させてから、両分割体を揺動し、押し開くことでモデルヘッドの取付孔が支持軸に緊合されるようにしている。
【０００３】
縦割りされた一対の分割体による支持軸の構成としては、例えば、特許文献１に開示されている整髪練習用人形首の取付台が存在する。これは支持体の支持ヘッドを、互いに離接可能な本体部と分離体とにより構成し、分割体の下部に締付ボルトを挿通する透孔が具備され、本体部の下部に透孔に挿通させた締付ボルトを螺入するネジ穴が具備され、本体部および分割体の双方に亘つて締付リングが装着され、且つ分割体の下部の、本体部との対向面に、上端部近傍が支点となるような段部が形成されて成る。そして、使用に際し、人形首の底部を支持体の支持ヘツドに嵌合した後、締付ボルトの螺入操作に伴う段部を支点とするテコ作用により小さな力で支持ヘツドを僅かに拡大させて、支持体に対し人形首を緊密に装着できるようにしている。
【０００４】
また、特許文献２に開示されているような整髪練習用の人形首が存在する。これは、上記した特許文献１の構成において、人形首の底部に支持ヘッドを収容可能な受凹部が設けられ、受凹部は人形首底部の入口部から深奥部に向かつて徐々に拡大されて成るものである。これによれば、人形首の受凹部を支持体の支持ヘッドに嵌合した後、支持ヘッドにおいて僅かな拡大動作を行うことにより、受凹部内で支持体を緊密に装着できるものとしている。
【０００５】
また、特許文献３に開示されているような美容理容用人頭模型の支持具が存在する。これは、人頭模型の取付孔を嵌合する支持軸体を縦割りされた一対の分割体で構成し、両分割体を押し開いて人頭模型を緊合させるようにしたものであって、前記一対の分割体が、先端側を支点にして基端側がねじ部材によって拡開されることでテーパー状の取付孔に対して支持軸体の外周面を密着させるものとしている。
【０００６】
そして、特許文献４に開示されているようなモデルヘッドの取り付け装置が存在する。これは、基台側に設けられた基軸部と、該基軸部に対して接触・離間可能とされる可動部とが支軸により結合された構成とし、支軸よりも下方の可動部と基軸部の一方または両方の向い合う面に凹部を設けて可動部の可動域とし、凹部を設けた部分の可動部と基軸部とを貫通するねじ杆によって、可動部の上端部を基軸部から離間する方向へ操作可能とし、且つねじ杆周りにばね手段を配置することで、可動部の上端部を接触方向へ付勢するものとしている。
【先行技術文献】
【特許文献】
【０００７】
【特許文献１】特許第２５０９１４６号公報
【特許文献２】登録実用新案第３０４５４３１号公報
【特許文献３】特許第３３７６３２６号公報
【特許文献４】登録実用新案第３０５２６９７号公報
【発明の概要】
【発明が解決しようとする課題】
【０００８】
しかしながら、特許文献１乃至４においては、縦割りされた一対の分割体による支持軸を、締付ボルト・ねじ部材・ねじ杆等のねじ込みにより、分割体の支点位置に対し上端側よりも主として下端側が拡開されるため、両分割体は上下両端共に同じ間隔に一様に押し開くことができない。このため、テーパ状の取付孔を支持軸体に嵌合させている場合では、下端側が拡開する支持軸によって取付孔を下端から上方に押し退けるような力が働いてしまい、これによってモデルヘッドを上方に持ち上げ脱落させてしまうことがある。しかも、両分割体の拡開は、締付ボルト・ねじ部材・ねじ杆等のねじ込み操作で行われるため、非常に面倒である。
【０００９】
そこで、本発明は叙上のような従来存した諸事情に鑑み創出されたもので、縦割りされて組合せられる一対の分割体による支持軸体を、ねじ込み等の面倒な操作を行うことなくワンタッチ操作で上下両端共に同じ間隔となって一様に押し開くことができるようにすることで、モデルヘッドにおけるテーパ状の取付孔によって嵌合している支持軸体の当該取付孔への緊合を確実なものとし、整髪練習作業の容易性のためにモデルヘッドを所要の方向並びに傾斜角度に調整した際においても当該モデルヘッドが支持軸体から脱落されないようにすることができるモデルヘッドの支持具を提供することを目的とする。
【課題を解決するための手段】
【００１０】
上述した課題を解決するために、本発明にあっては、モデルヘッドＰの底面に設けられたテーパ状の取付孔Ｑによって嵌合させてから、縦割りされた一対の分割体１ａ，１ｂを互いに拡開させてモデルヘッドＰの取付孔Ｑに緊合させることでモデルヘッドＰを支持する支持軸体１と、支持軸体１の下端に設けられた球状連結部２を保持する支持受座体３と、支持受座体３を保持して所定の部位に固定されるベース体４とを備えたモデルヘッドの支持具において、支持軸体１は、両分割体１ａ，１ｂの双方に亘って周設された溝内に装着される締付リング５と、両分割体１ａ，１ｂの対向面双方に形成されている凹所３３ａ，３３ｂ間に対向面に沿う方向で揺動可能に支承内装された拡開ロッド６とを備え、該拡開ロッド６には、凹所３３ａ，３３ｂ間での揺動によって締付リング５の締め付け力に抗して両分割体１ａ，１ｂのいずれか一方に対し他方を押し退けることで当該両分割体１ａ，１ｂを互いに拡開させる縦長の押し退け突部７を設けたものである。
支持軸体１は、固定側分割体１ａと、該固定側分割体１ａの基端部１ｃ上に載せられることで固定側分割体１ａに対して接合あるいは離反する可動側分割体１ｂとから成り、両分割体１ａ，１ｂ相互の対向面の上下部それぞれには拡開ロッド６の上下に突設した軸突部６ａの軸孔１ｄを形成すると共に、両分割体１ａ，１ｂそれぞれの上部の間では相互にスライド挿通する案内ピン１ｇと案内孔１ｈとを形成して構成することができ、また、固定側分割体１ａの基端部１ｃ上面と可動側分割体１ｂ下面との間では相互にスライド係合する案内溝部１ｅと案内突条１ｆとを形成して構成することができる。
拡開ロッド６は、両分割体１ａ，１ｂのいずれか一方側に形成された開口部８から突き出された操作取っ手９の操作により凹所３３ａ，３３ｂ相互間で揺動可能としたものとすることができる。
支持受座体３は、収納した支持軸体１の球状連結部２を上方から係止する支持縁３ａを開口部に有し、締付ハンドル１２の回動に伴い斜上下方向に移動する締付ネジ１１によって支持受座体３との間で変位可能にして支持軸体１の球状連結部２を下方から固定する締付部材１０を備えたものとすることができる。
ベース体４は、略コ字状の締付アーム２３の下端に回転固定ハンドル２６の回動によって上下動する締付ロッド２４がねじ込まれ、締付ロッド２４の上端には、長方形状の突当部２５を枢着して成るものとすることができる。
支持軸体１の先端側の周面には取付溝３４が凹設され、且つ各取付溝３４相互間には横方向の係止突部３５が上下に亘って形成されて成るものとすることができる。
【００１１】
以上のように構成された本発明に係るモデルヘッドの支持具にあって、モデルヘッドＰは、該モデルヘッドＰの底面に設けられたテーパ状の取付孔Ｑによって支持軸体１に嵌合される。そして、操作取っ手９の操作により拡開ロッド６が凹所３３ａ，３３ｂ間で揺動されると、縦長の押し退け突部７が締付リング５の締め付け力に抗して両分割体１ａ，１ｂのいずれか一方に対し他方を押し退けさせ、当該両分割体１ａ，１ｂを互いに離反拡開させる。拡開ロッド６の押し退け突部７が縦長であるから、支持軸体１の上下両端が共に同じ間隔となって一様に拡開されるものとなり、これによってテーパ状の取付孔Ｑに対する支持軸体１の緊合を確実且つ堅固にさせる。
このときの拡開ロッド６の揺動による押し退け突部７の旋回は、両分割体１ａ，１ｂの上部では案内ピン１ｇ，案内孔１ｈにより、さらに下部では案内溝部１ｅ，案内突条１ｆにより、固定側分割体１ａに対して可動側分割体１ｂを、その上下に亘る全体で案内して円滑に離反、接合させる。
締付ハンドル１２の回動に伴い斜上下方向に移動する締付ネジ１１の締付部材１０への押圧は、支持軸体１の球状連結部２をその上方から係止している支持受座体３を締付部材１０に対して牽引して押し下げ、締付部材１０の押圧開放端部１３と上部縁３ａとで球状連結部２を上下から固定可能にさせる。また、締付ハンドル１２の回転操作時では、締付ハンドル１２が支持受座体３から離れていることで、支持受座体３本体側が障害とならずに円滑に回転操作される。
ベース体４の締付ロッド２４上端における長方形状の突当部２５の枢着方向の変位は、モデルヘッドＰの取付作業場所でベース体４によって固定される所定の部位に対し、その所定部位の幅員の広狭にかかわらず、ベース体４を固定可能にさせる。
支持軸体１の先端側周面の取付溝３４は、モデルヘッドＰの取付孔Ｑ内周に形成された縦長の突条と係合され、モデルヘッドＰの回転を規制させる。と同時に、各取付溝３４相互間に形成された横方向の係止突部３５は、モデルヘッドＰの取付孔Ｑ内周面に係止され、支持軸体１からのモデルヘッドＰの取付孔Ｑの抜け外れを阻止させる。
【発明の効果】
【００１２】
本発明によれば、モデルヘッドＰをその取付孔Ｑで嵌合することで、これを支持する縦割りされた一対の分割体１ａ，１ｂの組合せによる支持軸体１を、ねじ込み等の面倒な操作を行うことなく、操作取っ手９による拡開ロッド６のワンタッチの揺動操作で上下両端共に同じ間隔となって一様に開くことができる。このためモデルヘッドＰにおけるテーパ状の取付孔Ｑと、これが嵌合される支持軸体１との緊合を確実にし、整髪練習作業の容易性のためにモデルヘッドＰを所要の方向並びに傾斜角度に調整した際においても、当該モデルヘッドＰが支持軸体１から脱落されないようにすることができる。
【００１３】
すなわち、これは本発明が、モデルヘッドＰを嵌合支持する支持軸体１は、両分割体１ａ，１ｂの双方に亘って周設された溝内に装着される締付リング５と、両分割体１ａ，１ｂの対向面双方に形成されている凹所３３ａ，３３ｂ間に対向面に沿う方向で揺動可能に支承内装された拡開ロッド６とを備え、該拡開ロッド６には、凹所３３ａ，３３ｂ間での揺動によって締付リング５の締め付け力に抗して両分割体１ａ，１ｂのいずれか一方に対し他方を押し退けることで当該両分割体１ａ，１ｂを互いに拡開させる縦長の押し退け突部７を設けたからであり、これにより、縦割りされた一対の分割体１ａ，１ｂによる支持軸体１を上下両端共に同じ間隔となって一様に押し開くことができ、支持軸体１の上下端のいずれか一方のみに拡開力が集中しないため、均等な圧力でテーパ状の取付孔Ｑに緊合させることができる。
【００１４】
また、両分割体１ａ，１ｂは、互いの対向面上部間で互いにスライド挿通する案内ピン１ｇ，案内孔１ｈを形成してあるので、両分割体１ａ，１ｂ相互はその上下に亘る全体が円滑に案内されて離反、接合し、拡開時に傾くことなく支持軸体１が拡開し、取付孔Ｑとしっかり緊合できる。さらに固定側分割体１ａの基端部１ｃに載せた可動側分割体１ｂの上下面間で互いにスライド係合する案内溝部１ｅ、案内突条１ｆを形成してあるので、両分割体１ａ，１ｂそれぞれの拡開・閉塞作用は一層円滑に行われる。
【００１５】
拡開ロッド６は、両分割体１ａ，１ｂのいずれか一方側に形成された開口部８から突き出された操作取っ手９の操作により凹所３３ａ，３３ｂ間で両分割体１ａ，１ｂの対向面に沿う方向で揺動可能としたので、従来のようにねじ込み等の面倒な操作を行うことなく操作取っ手９によるワンタッチの揺動操作で支持軸体１の両分割体１ａ，１ｂを拡開させることができる。
【００１６】
支持受座体３は、収納した支持軸体１の球状連結部２を上方から係止する支持縁３ａを開口部に有し、締付ハンドル１２の回動に伴い斜上下方向に移動する締付ネジ１１によって支持受座体３との間で変位可能にして支持軸体１の球状連結部２を下方から固定する締付部材１０を備えたので、締付ネジ１１の回転操作は、締付部材１０に対して支持受座体３自体を牽引させ、支持縁３ａと押圧開放端部１３との間で球状連結部２をしっかりと所定位置で固定できる。しかも、締付ハンドル１２自体を支持受座体３本体部分の側方で回転操作するとき、締付ハンドル１２が支持受座体３自体にぶつかることがない。そのため、支持受座体３本体側が障害とならずに済み、締付ハンドル１２の円滑な回転操作で支持軸体１の球状連結部２を下方から固定させることができると共に、斜め方向から締付ハンドル１２を回してねじ送りするため作業性も良い。
【００１７】
ベース体４は、略コ字状の締付アーム２３の下端に回転固定ハンドル２６の回動によって上下動する締付ロッド２４がねじ込まれ、締付ロッド２４の上端には、長方形状の突当部２５を枢着して成るので、固定される所定の部位、すなわちモデルヘッドＰを固定して整髪作業の練習等を行なうべき作業用の机Ｒ等の縁に支持固定するとき、その固定すべき縁の幅の広狭に対応して、突当部２５の枢着方向を変位させることでベース本体４を確実に固定させることができる。例えば、作業机Ｒの縁部等における裏面の幅員が狭い場合には、突当部２５の長手方向を作業机Ｒの縁部に沿って配置させるようにすれば良く、作業机Ｒの縁部の横幅が広い場合には、突当部２５の長手方向を９０°回転させて作業机Ｒの奥行き方向に沿って配置させるようにすれば良い。
【００１８】
支持軸体１の先端側の周面には取付溝３４が凹設され、且つ各取付溝３４相互間には横方向の係止突部３５が上下に亘って形成されて成るので、モデルヘッドＰの取付孔Ｑ内周に形成された縦長の突条に取付溝３４が係合してモデルヘッドＰの回転を規制すると同時に、モデルヘッドＰの取付孔Ｑ内周面に横方向の係止突部３５が係止することで支持軸体１からのモデルヘッドＰの取付孔Ｑの不用意な抜け外れを防止することができる。
【００１９】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２０】
【図１】本発明を実施するための一形態を示す使用状態の一部切欠斜視図である。
【図２】同じく断面図である。
【図３】同じく支持軸体、支持受座体の分解斜視図である。
【図４】同じく支持軸体の開閉・拡開動作を説明するもので、（ａ）は閉塞状態の横断面図、（ｂ）は拡開状態の横断面図である。
【発明を実施するための形態】
【００２１】
以下、図面を参照して本発明の実施の一形態を詳細に説明すると、図において示される符号１は、美容師や理容師の養成において例えばヘアセット、ヘアカット等の各種の整髪技能を修得するために練習するときに使用するモデルヘッドＰを支持する本発明に係るモデルヘッドの支持具を構成する支持軸体である。該支持軸体１は、図１および図２に示すように、モデルヘッドＰの底面に形成されているテーパ状の深穴である取付孔Ｑが嵌合され、取付孔Ｑと緊合されることで、モデルヘッドＰを支持するものである。そして、支持軸体１の下端に設けられた球状連結部２を保持する支持受座体３と、該支持受座体３を所定の高さ位置で保持して、例えば作業机Ｒ等の天板等の所定の部位に挟着固定されるベース体４とを備えている。
【００２２】
支持軸体１は、図３に示すように、縦方向の分割面により左右に２分割され、一方側が下端に円形の基端部１ｃを備えている固定側分割体１ａと、他方側が基端部１ｃに載せられた状態となって固定側分割体１ａの分割面に接合あるいは離反する可動側分割体１ｂとから組合せられて構成されている。これら両分割体１ａ，１ｂの対向面双方には断面で半円状を呈する凹所３３ａ，３３ｂを形成することで、両分割体１ａ，１ｂが合体したときは全体として円筒断面となるようになっており、上部の外周面はその先端側が小径となったテーパー状を呈している。
【００２３】
また、支持軸体１の下部の外周面には、両分割体１ａ，１ｂの双方に亘っているリング溝５ａが周設され、該リング溝５ａ内には例えば硬質ゴム製のＯリング等による締付リング５が巻回装着されていて、両分割体１ａ，１ｂ相互を接合させるよう閉塞方向に付勢させている。
【００２４】
また、支持軸体１の先端側の周面には、モデルヘッドＰの取付孔Ｑ内周に形成された不図示の縦長の３個の突条といずれかで係合する例えば合計６本の縦方向の取付溝３４が凹設され、モデルヘッドＰの回転を規制するようになっている。さらに、モデルヘッドＰの取付孔Ｑ内周面にやや喰い込み状に係止するよう、各取付溝３４相互間には横方向の係止突部３５が上下に亘って形成されており、モデルヘッドＰの取付孔Ｑの支持体１からの抜脱が防止されるようになっている。尚、係止突部３５は、支持軸体１を先端側から見たときに周面に沿って環状となって形成されており、また、必要に応じて係止突部３５に関連して段状の凹部を形成することもある。
【００２５】
支持軸体１には、図３、図４（ａ）、図４（ｂ）に示すように、両分割体１ａ，１ｂの対向面双方の各凹所３３ａ，３３ｂによって挟み込むように、円柱棒状の拡開ロッド６が支承内装されている。すなわち、該拡開ロッド６の上下端に突設した軸突部６ａが、両分割体１ａ，１ｂの上端部の中央部において、また、基端部１ｃに半載状に形成されている段部面の中央部において、それぞれに形成されている半円形状で、両分割体１ａ，１ｂが合体されることで円形状となる軸孔１ｄによって挟み込まれることにより、拡開ロッド６が支持軸体１内で回転自在に支承され、両分割体１ａ，１ｂの対向面方向に沿う水平方向である軸回転方向で、拡開ロッド６が所定角度範囲内で揺動可能となっている。そして、拡開ロッド６の周面には、固定側分割体１ａに接合される可動側分割体１ｂの凹所３３ｂに向けて縦長の押し退け突部７が突設され、該押し退け突部７に対応すべく可動側分割体１ｂの凹所３３ｂの片側には当該押し退け突部７が収容係合される縦溝状の収容凹部７ａが例えば対向面の端縁位置に形成されている。
【００２６】
また、図２、図３に示すように、固定側分割体１ａの基端部１ｃ上面には、この固定側分割体１ａに対して可動側分割体１ｂを離反あるいは接合させる方向に沿って凹状にした案内溝部１ｅを形成し、可動分割体１ｂの下端面には案内溝部１ｅ内で案内されてスライド自在になっている案内突条１ｆを突設形成してある。一方、固定側分割体１ａの上端部内側面には、同様に可動側分割体１ｂのスライド方向に沿って突出している案内ピン１ｇを形成し、可動側分割体１ｂの上端部内側面には案内ピン１ｇが案内されてスライド自在に挿通される案内孔１ｈを形成してある。こうすることで、拡開ロッド６の揺動で押し退け突部７が可動側分割体１ｂを固定側分割体１ａから押し退けられて相互間で拡開するとき、下端部では案内溝部１ｅと案内突条１ｆとが、上端部では案内ピン１ｇと案内孔１ｈとがそれぞれスライド案内して、両分割体１ａ，１ｂ相互の上下位置での離反・接合による拡開操作を円滑にしている。
【００２７】
尚、案内溝部１ｅを可動側分割体１ｂに、案内突条１ｆを固定側分割体１ａに形成しても、案内ピン１ｇを可動側分割体１ｂに、案内孔１ｈを固定側分割体１ａに形成しても良く、これらは任意に選択できる。また、両分割体１ａ，１ｂにおいて、その下部にあっては締付リング５で閉塞傾向に付勢されていることから、これを強制的に拡開させる拡開ロッド６による拡開時では、少なくとも両分割体１ａ，１ｂの上部での案内ピン１ｇ、案内孔１ｈ相互のスライド挿通による案内でも足りる。
【００２８】
さらに、固定側分割体１ａには、横長の開口部８が開口形成され、拡開ロッド６と一体となるように拡開ロッド６に突設形成された操作取っ手９が当該開口部８から外部に突き出されていて、拡開ロッド６を開口部８に沿う水平方向で揺動操作できるようにしてある（図３、図４参照）。尚、開口部８は、固定側分割体１ａの対向面における一側縁から外部に連通する切欠状にして形成してあり、拡開ロッド６の操作取っ手９を挿通して開口部８内に位置決めできるようにしてある。
【００２９】
そして、図４（ａ）、図４（ｂ）に示すように、締付リング５の締付張力によって両分割体１ａ，１ｂ双方が凹所３３ａ，３３ｂ相互間で拡開ロッド６を内装し、挟んで互いを密着させることで、支持軸体１が組み立てられる。こうすることで、操作取っ手９によって両分割体１ａ，１ｂの凹所３３ａ，３３ｂ内で拡開ロッド６を揺動させ、押し退け突部７を収容凹部７ａ内の係合位置から凹所３３ｂの内壁面に乗り上げるようにすると、締付リング５の締め付け力に抗して固定側分割体１ａから可動側分割体１ｂを押し退け、当該両分割体１ａ，１ｂを互いに拡開させることができる。尚、押し退け突部７は、断面で円形状を呈する拡開ロッド６の外表面でその外接線上に沿う直線面を有しており、拡開ロッド６の揺動が可動側分割体１ｂの凹所３３ｂに滑らかに当接するようにし、また、その突出幅が異なる大小に形成してあっても良い。
【００３０】
また、支持軸体１の下部、すなわち固定側分割体１ａの基端部１ｃ下部には括れ部分を介して球状連結部２が一体形成されており、該球状連結部２によって、ベース本体４上の所定高さ位置に保持されているボックス状の支持受座体３に水平方向での回転を自在にし、また傾き角度を自在にして装着させることで、それらの調整設定によって支持軸体１が連結固定されるようになっている。すなわち、該支持受座体３は、球状連結部２を回転、傾動自在にして収納係止する収納洞域を備える本体部分に、球状連結部２を押圧支持して固定する締付部材１０を支持受座体３との間で変位可能にして内装すると共に、締付部材１０を収納洞域の開口縁である支持縁３ａ側に押圧させて、締付部材１０、支持縁３ａ相互間で球状連結部２を挟み込ませるように操作する締付ネジ１１を本体部分下部にねじ込み形成したものである。
【００３１】
尚、支持縁３ａは、支持受座体３に支持軸体１を連繋させるとき、支持受座体３の下端開放口側から支持軸体１における固定側分割体１ａを挿通し、外出させるように、対向する縁部において切除されていて、固定側分割体１ａの挿通外出後では球状連結部２を係止するように上部開口縁の内側方向に折曲状に形成されている。また、支持縁３ａに切除部分があることで、ここに球状連結部２の括れ部分を嵌め入れるようにすることで、モデルヘッドＰをかなりの程度すなわち水平方向となる程度にまで傾けさせることができる。
【００３２】
支持受座体３内で、球状連結部２をこれの下方から支持受座体３における収納洞域の上部開口縁に形成してある支持縁３ａとともに挟み込ませることで支持固定するための締付部材１０は、図２、図３に示すように、上面に球状連結部２の下面一部を押圧支持するための円枠状の押圧開放端部１３を備え、下端部は有底となっている。そして、周側部には固定孔１４が開穿されていて、該固定孔１４に支持受座体３の外側からねじ込ませた規制ネジ１５の先端を挿通することで、締付部材１０自体がこの固定孔１４を支点として支持受座体３内部で上下方向に揺動できるよう、すなわち締付部材１０に対し支持受座体３自体を下げることができるように支持連繋してある。また、周側面他端側には水平アーム１６が延設され、該水平アーム１６は、支持受座体３の下部側面に突設形成したガイド筐体１７内の空隙部に上下方向に移動可能となるように収容されている。当該ガイド筐体１７の外側下部位置には、斜め方向にネジ孔１８が設けられ、該ネジ孔１８の奥内端側には、水平アーム１６先端に形成された斜下向きの当接面２０を臨ませてある。
【００３３】
尚、支持受座体３内に締付部材１０を収容するに際し、図２、図３に示すように、ガイド筐体１７の天板部からやや先細状となる案内突起１７ａを突設し、該案内突起１７ａに嵌め合わされるやや長円形を呈する嵌合孔１６ａを水平アーム１６に開穿してあり、案内突起１７ａと嵌合孔１６ａとの嵌め合いによって、締付部材１０に対して支持受座体３がが円滑に上下動されるようにしてある。
【００３４】
ネジ孔１８には締付ネジ１１が進退自在にねじ込まれることで装着されている。該締付ネジ１１を、例えば締付ネジ１１後端にスライド自在に挿通させたピン状の締付ハンドル１２を前後にスライドさせながら回動することで、ネジ孔１８に沿って締付ネジ１１を斜上方向にねじ込み変位させることによって、水平アーム１６の当接面２０を介して締付部材１０に対して支持受座体３自体を牽引させるように引き下げ、支持受座体３上面の支持縁３ａと締付部材１０の押圧開放端部１３とで球状連結部２を挟み込み固定するようにしてある。
【００３５】
こうして支持軸体１の固定側分割体１ａの球状連結部２を所望の方向に回動さらには傾動して位置決めさせてから、支持軸体１自体を支持受座体３に支持固定させることができ、こうすることでモデルヘッドＰを所要の方向並びに傾斜角度に調整することができるものとしている。
【００３６】
また、支持受座体３、締付部材１０は、作業机Ｒ上に固定するベース体４上の所定高さ位置で固定保持できるようになっている。そのため、締付部材１０の底部中央には取付孔１９が開穿形成され、該取付孔１９に、ベース体４に連結する縦長の支持ロッド２１の上端側に突設されたネジ部２１ａを挿入し、そのネジ部２１ａを支持受座体３の内側でナット等の締結部材２２によって締結することで支持ロッド２１を連結してある。また、支持ロッド２１の下端側は、ベース体４における略コ字状の締付アーム２３の基端側に貫設したスライド孔部３０に挿入され、外側方からの回転締付ハンドル３１の回動に伴い、内装のブッシュ部材等を介して支持ロッド２１が押圧されることによって所定の位置で固定支持されるようになっている。
【００３７】
さらに、締付アーム２３の下側部には回転固定ハンドル２６の回転によって上下動する締付ロッド２４がねじ込まれ、締付ロッド２４の先端には、長方形状の突当部２５がその中央下面によって回転自在にして枢着されている。これによって例えば作業机Ｒ等の天面部の縁部もしくは角部を、ベース体４における締付アーム２３の上側部と下側の締付ロッド２４の突当部２５とで挟み込み、回転固定ハンドル２６の回転によって締付ロッド２４を前進させ、締付アーム２３の上側部と下側の締付ロッド２４の突当部２５とによって天面部を挟持させることでベース体４自体が作業机Ｒに固定されるものとしてある（図１および図２参照）。
【００３８】
次に、以上のように構成された形態についての使用の一例について説明すると、先ず、作業机Ｒ等の天面部の縁部もしくは角部をベース体４における締付アーム２３で挟み、回転固定ハンドル２６の回転によって締付ロッド２４を前進させ、締付アーム２３の上側部と下側の締付ロッド２４の突当部２５とによって天面部を挟持させることでベース体４自体を作業机Ｒに固定しておく。
【００３９】
ベース体４における締付アーム２３基端側のスライド孔部３０に、上端に支持軸体１および支持受座体３、締付部材１０を連結固定した支持ロッド２１の下端側を挿入し、側方からの回転締付ハンドル３１の回動によって所定の高さ位置で固定する。
【００４０】
また、支持受座体３において、締付ネジ１１を締付ハンドル１２の回動によってネジ孔１８に沿って斜上方向にねじ込み変位させ、水平アーム１６の当接面２０によって締付部材１０に対して支持受座体３を引き寄せることで、支持軸体１の球状連結部２を適当な方向に傾動させて支持固定しておく。
【００４１】
次いで、支持軸体１にはモデルヘッドＰをその底面の取付孔Ｑによって嵌合してから、図４（ａ）に示すように、操作取っ手９を回して両分割体１ａ，１ｂの凹所３３ａ，３３ｂ内で拡開ロッド６を揺動させ、押し退け突部７を収容凹部７ａ内の係合位置から凹所３３ｂの内壁面に乗り上げるようにする。そうすると、押し退け突部７自体が縦長であるから、図４（ｂ）に示すように、締付リング５の締め付け力に抗して固定側分割体１ａから可動側分割体１ｂを上下端共に同じピッチで押し退ける。このようにして、支持軸体１の両分割体１ａ，１ｂは上下両端が共に同じ間隔となって一様に開くことができ、テーパ状を取付孔Ｑに嵌合している支持軸体１と当該取付孔Ｑとの緊合を確実なものとして、モデルヘッドＰを支持するのである。
【００４２】
一方、締付ネジ１１を締付ハンドル１２の回動によってネジ孔１８に沿って斜下方向に変位させ、水平アーム１６の当接面２０によって締付部材１０から支持受座体３を押し上げることで、支持軸体１の球状連結部２をいったんフリーな状態にする。そして、モデルヘッドＰを所望の方向に傾動ないしは水平に調整させてから、再度、締付ハンドル１２の回動によって締付ネジ１１をネジ孔１８に沿って斜上方向にねじ込み変位させ、水平アーム１６の当接面２０を介して締付部材１０に対して支持受座体３自体を牽引して引き下げることによって支持軸体１の球状連結部２を支持固定することで、モデルヘッドＰの姿勢等を調整固定する。
【符号の説明】
【００４３】
Ｐ…モデルヘッド                        Ｑ…取付孔
Ｒ…作業机
１…支持軸体                            １ａ…固定側分割体
１ｂ…可動側分割体                      １ｃ…基端部
１ｄ…軸孔                              １ｅ…案内溝部
１ｆ…案内突条                          １ｇ…案内ピン
１ｈ…案内孔
２…球状連結部                          ３…支持受座体
３ａ…支持縁                            ４…ベース体
５…締付リング                          ５ａ…リング溝
６…拡開ロッド                          ６ａ…軸突部
７…押し退け突部                        ７ａ…収容凹部
８…開口部                              ９…操作取っ手
１０…締付部材                          １１…締付ネジ
１２…締付ハンドル                      １３…押圧開放端部
１４…固定孔                            １５…規制ネジ
１６…水平アーム                        １６ａ…嵌合孔
１７…ガイド筐体                        １７ａ…案内突起
１８…ネジ孔                            １９…取付孔
２０…当接面                            ２１…支持ロッド
２１ａ…ネジ部                          ２２…締結部材
２３…締付アーム                        ２４…締付ロッド
２５…突当部                            ２６…回転固定ハンドル
３０…スライド孔部                      ３１…回転締付ハンドル
３３ａ，３３ｂ…凹所                    ３４…取付溝
３５…係止突部
【図１】
2011036546.tif 000003
【図２】
2011036546.tif 000004
【図３】
2011036546.tif 000005
【図４】
2011036546.tif 000006